(57)【特許請求の範囲】
【請求項１】
電気器具の器体に貫設した電線挿入孔を通して器体に導入された電線に接触する端子板と、端子板に向かってばね付勢され端縁を前記電線に弾接させることにより端子板との間で前記電線を挟持する鎖錠片を有した鎖錠ばねとを備え、端子板において前記電線を接触させる面には、前記電線の挿入方向に交わる方向において、中央部に導入された前記電線を鎖錠片との間に挟持する部位の両側であって、電線挿入孔から芯線が撚り線である電線を導入して当該電線がばらばらに広がった場合に当該電線を鎖錠片との間に挟持する部位に一対の案内突部が突設されていることを特徴とする端子装置。
【請求項２】
前記案内突部において少なくとも互いに近い側の端部が球面状に形成されていることを特徴とする請求項１記載の端子装置。
【請求項３】
前記案内突部が前記鎖錠片の端縁の一部に対向する位置に形成されていることを特徴とする請求項１記載の端子装置。
【請求項４】
一対の前記案内突部が前記電線の先端側に向かって互いの距離を小さくする形で配置されていることを特徴とする請求項１記載の端子装置。
【請求項５】
前記端子板において前記電線との接触部位には電線の導入方向おいて凹凸が交互に繰り返すローレット部が形成されていることを特徴とする請求項１記載の端子装置。
【請求項６】
前記端子板において前記電線を接触させる面には前記鎖錠片の側縁に沿ってガード片が突設されていることを特徴とする請求項１記載の端子装置。
【発明の詳細な説明】
【０００１】
【発明の属する技術分野】
本発明は、スイッチ、コンセント、照明器具などの電気器具の器体に収納され電線を接続する端子装置に関するものである。
【０００２】
【従来の技術】
従来から、スイッチやコンセントのような配線器具あるいは照明器具などにおいて、器体に設けた電線挿入孔を通して器体に導入された電線を接続するために速結端子と称する端子装置が広く用いられている。この種の端子装置は、器体に収納され電線挿入孔を通して器体に導入された電線に接触する図１３に示すような形状の端子板３と、端子板３との間で電線を挟持する鎖錠ばねとを備える構造のものが多い。鎖錠ばねは板ばねであって、鎖錠ばねに設けた鎖錠片の端縁と端子板３との間に電線を挟持することによって電線を保持するように形成されている。つまり、器体に設けた電線挿入孔を通して電線を器体に導入すると、電線が鎖錠片を端子板３から引き離す向きに撓ませ、このことによって鎖錠片に生じるばね力によって電線が端子板３と鎖錠片との間に挟持されるように構成されている。ここに、電線が端子板３と鎖錠片との間に挟持された状態では鎖錠片の端縁が電線に弾接し電線の一部に鎖錠片が食い込むことによって電線の抜け止めがなされる。このように、電線を電線挿入孔に挿入するだけで端子板３に電線が接触した状態で保持されるから、端子ねじを用いて電線を接続する端子装置に比較すると電線の結線作業が容易になる。
【０００３】
【発明が解決しようとする課題】
ところで、従来から知られているこの種の端子装置の多くは、芯線が単線である電線を接続することを想定しており、芯線が撚り線である場合には鎖錠片による抜け止めの効果を充分に得ることができないという問題を有している。つまり、図１３に示す端子板３のように電線との接触部位である主片３ａが平板である端子板３を用いると、芯線が撚り線であると端子板３と鎖錠片との間に導入したときに撚り線を構成する各線がばらばらに広がるから、鎖錠ばねと端子板との距離が小さくなって鎖錠ばねによる充分な接触圧を得ることができないことになる。この問題を解決するには、鎖錠片のばね定数を大きくすることが考えられるが、鎖錠片のばね定数が大きくなると端子板３と鎖錠片との間に電線を導入するのに要する力が大きくなり、結果的に端子板と鎖錠片との間に電線を挿入しようとしても鎖錠片が撓まず、電線を保持させることができないことになる。このような事情から、芯線が撚り線である電線を用いる場合には、撚り線がばらばらになるのを防止するために電線の末端部分に別部材を取り付けたり電線の末端部分を半田で固めたりしており、結線作業が容易になるという速結端子の長所が失われているのが現状である。
【０００４】
本発明は上記事由に鑑みて為されたものであり、その目的は、芯線が撚り線である電線であっても電線の末端部分に何らの加工を施すことなく、器体に設けた電線挿入孔を通して電線を導入するだけで電線を接続することができる端子装置を提供することにある。
【０００５】
【課題を解決するための手段】
請求項１の発明は、電気器具の器体に貫設した電線挿入孔を通して器体に導入された電線に接触する端子板と、端子板に向かってばね付勢され端縁を前記電線に弾接させることにより端子板との間で前記電線を挟持する鎖錠片を有した鎖錠ばねとを備え、端子板において前記電線を接触させる面には、前記電線の挿入方向に交わる方向において、中央部に導入された前記電線を鎖錠片との間に挟持する部位の両側であって、電線挿入孔から芯線が撚り線である電線を導入して当該電線がばらばらに広がった場合に当該電線を鎖錠片との間に挟持する部位に一対の案内突部が突設されているものである。
【０００６】
請求項２の発明は、請求項１の発明において、前記案内突部において少なくとも互いに近い側の端部が球面状に形成されているものである。
【０００７】
請求項３の発明は、請求項１の発明において、前記案内突部が前記鎖錠片の端縁の一部に対向する位置に形成されているものである。
【０００８】
請求項４の発明は、請求項１の発明において、一対の前記案内突部が前記電線の先端側に向かって互いの距離を小さくする形で配置されているものである。
【０００９】
請求項５の発明は、請求項１の発明において、前記端子板において前記電線との接触部位には電線の導入方向おいて凹凸が交互に繰り返すローレット部が形成されているものである。
【００１０】
請求項６の発明は、請求項１の発明において、前記端子板において前記電線を接触させる面には前記鎖錠片の側縁に沿ってガード片が突設されているものである。
【００１２】
【発明の実施の形態】
以下に説明する実施の形態では、本発明の端子装置をスイッチに適用した例を示すが、他の電気機器において同様の構成を適用するのを妨げるものではない。
【００１３】
まず、端子装置を適用するスイッチについて説明する。図７ないし図９に示すスイッチは、前面（図７の上面）が開口した直方体状の合成樹脂成形品のボディ１０と、矩形枠状に形成されボディ１０の前面側に結合される合成樹脂成形品のカバー２０とにより構成される器体１を備える。ボディ１０の幅方向における両外側面にはボディ１０の長手方向に離間して各一対の組立突起１１が突設され、カバー２０の後端縁からは組立舌片２１が後方に延設され、組立舌片２１に設けた組立孔２１ａに組立突起１１が係合することによってボディ１０とカバー２０とが結合される。
【００１４】
ボディ１０には、ボディ１０の後壁に設けた電線挿入孔１２を通して器体１に挿入される電線２（図３参照）を接続する２個の端子装置３０ａ，３０ｂと、端子装置３０ａ，３０ｂの間の電路を開閉する接点装置４０とが収納される。一方、カバー２０の中央部の開口窓２２には合成樹脂成形品の反転ハンドル５０がカバー２０に対して揺動自在に枢支された形で装着され、この反転ハンドル５０の揺動に伴って接点装置４０が開閉される。反転ハンドル５０の前面側にはカバー２０の前面に重複する合成樹脂成形品の操作ハンドル６０が着脱可能に結合され、操作ハンドル６０を操作部として揺動させることにより、反転ハンドル５０が揺動して接点装置４０が開閉されるようにしてある。
【００１５】
ボディ１０の内側面には、端子装置３０ａ，３０ｂおよび接点装置４０を位置決めするための保持リブ１３および保持溝１４がそれぞれ複数形成されている。端子装置３０ａ，３０ｂはボディ１０の長手方向の両端部内に配置され、接点装置４０はボディ１０の長手方向の中央部内に配置される。
【００１６】
端子装置３０ａ，３０ｂは、導電性の金属板により形成された端子板３１，３２と、各端子板３１，３２ごとに２個ずつ設けた鎖錠ばね３３と、各端子板３１，３２ごとに２個ずつ設けた鎖錠ばね３３に当接する合成樹脂成形品の解除釦３４とを備える。各端子板３１，３２は、それぞれボディ１０の長手方向の両端部付近でボディ１０の幅方向の両内側面に設けた保持溝１４に両側部が挿入保持される主片３１ａ，３２ａと、主片３１ａ，３２ａに対向する当接片３１ｂ，３２ｂと、主片３１ａ，３２ａと当接片３１ｂ，３２ｂとの前端縁間を連続一体に連結するようにボディ１０の開口面に沿って延長された連結片３１ｃ，３２ｃとを備える。当接片３１ｂ，３２ｂはボディ１０の長手方向の中央部付近でボディ１０の幅方向の両内側面に形成された保持リブ１３に当接し、保持リブ１３と保持溝１４との間で端子板３１，３２がボディ１０に保持される。鎖錠ばね３３は主片３１ａ，３２ａと当接片３１ｂ，３２ｂとの間に収納される。端子板３１には連結片３１ｃから延長されて先端部に固定接点４１を備える接点保持片３１ｄがボディ１０の長手方向の中央部に向かって斜め後向き（図９の下向き）に延設される。また、端子板３２には当接片３２ｂの後端縁からボディ１０の長手方向の中央部に向かってボディ１０の後面に沿う形で支持片３２ｄが延設され、支持片３２ｄの先端部には前面開放された断面Ｖ字状の支点用溝３２ｅが支持片３２ｄの延長方向に直交する形で形成される。
【００１７】
鎖錠ばね３３は、帯状の板ばねの一端部をＳ字状に曲成して接触片３３ａを形成し、他端部をＪ字状に曲成して鎖錠片３３ｂを形成し、接触片３３ａと鎖錠片３３ｂとの間を接続片３３ｃにより連続一体に連結した形状に形成される。また、接触片３３ａおよび鎖錠片３３ｂは接続片３３ｃに対して厚み方向の同じ側に突出する。鎖錠ばね３３を端子板３１，３２の主片３１ａ，３２ａと当接片３２ａ，３２ｂとの間に装着するに際しては、接続片３３ｃを当接片３２ａ，３２ｂに当接させる形で接触片３３ａおよび鎖錠片３３ｂを主片３１ａ，３２ａに対向させる。ここに、接触片３３ａおよび鎖錠片３３ｂの先端部は、先端側ほど接続片３３ｃから離れる向きに傾斜し、かつ互いに略平行になるように延長されている。また、接触片３３ａおよび鎖錠片３３ｂの先端部は、先端側ほど連結片３１ｃ，３２ｃとの距離を小さくするように配置される。
【００１８】
上述した電線挿入孔１２は、端子板３１，３２の主片３１ａ，３２ａと接触片３３ａおよび鎖錠片３３ｂとの間に対応する部位に形成され、電線挿入孔１２を通して器体１に電線２を挿入すると、電線２の先端部が主片３１ａ，３２ａと接触片３３ａおよび鎖錠片３３ｂとの間に挟持され、電線２が主片３１ａ，３２ａに接触して端子装置３０ａ，３０ｂと電線２とが電気的に接続されるとともに、鎖錠片３３ｂの先端縁が電線２に食い込むことによって電線２が器体１から抜けないように機械的に保持される。とくに、鎖錠片３３ｂは電線挿入孔１２を通して電線２を挿入する向きにおいて主片３１ａ，３１ｂとの距離を小さくするように傾斜しているから、電線２を引き抜く向きの力に対して鎖錠片３３ｂが撓みにくく、電線２の引き抜きを確実に阻止することになる。ここに、電線２は絶縁被覆電線であって器体１に挿入する部位は芯線が露出するように絶縁被覆が除去される。したがって、主片３１ａ，３２ａと鎖錠ばね３３との間に電線２が挟持されるとは実際には芯線が挟持されることを意味する。
【００１９】
ボディ１０の後壁には解除釦３４に対応する部位に操作孔１５が貫設される。解除釦３４は各端子装置３０ａ，３０ｂに設けた２個ずつの鎖錠ばね３３の間に配置され、両鎖錠ばね３３の鎖錠片３３ｂの後面側にそれぞれ当接する２個の押し片３４ａが側面から突出する形状を有する。操作孔１５はマイナスドライバの先端部のような工具が挿入可能となる形状を有し、工具を操作孔１５に挿入して解除釦３４を前方に押圧すると、鎖錠片３３ｂが押し片３４ａから押圧力を受けることにより主片３１ａ，３２ａから離れる向きに撓むようにしてある。したがって、上述のようにして端子装置３０ａ，３０ｂに電線２を接続した状態で操作孔１５に工具を挿入して解除釦３４を押圧すれば、鎖錠片３３ｂが電線２から離れるように撓んで電線２の機械的保持が解除され、電線２を器体１から引き抜くことが可能になる。ここに、解除釦３４には２個の押し片３４ａが設けられ、各端子装置３０ａ，３０ｂに設けた２個の鎖錠ばね３３の鎖錠片３３ｂを同時に押圧するから、各端子装置３０ａ，３０ｂに２本の電線２を接続しているときには１個の解除釦３４を押圧すれば２本の電線２の機械的保持を同時に解除することができる。
【００２０】
接点装置４０は、端子板３２の支持片３２ｄに対して枢支された板状の開閉素子４３を備え、開閉素子４３には端子板３１の接点保持片３１ｄに設けた固定接点４１に離接する可動接点４２が設けられる。開閉素子４３の後端縁は支持片３２ｄに設けた支点用溝３２ｅに挿入され、支点用溝３２ｅを中心として開閉素子４３が回動可能になっている。ボディ１０の長手方向の中央部であってボディ１０の後部には開閉素子４３の側縁に突設された突片４３ａが挿入されるＶ字状の回動規制溝１６が形成され、回動規制溝１６によって開閉素子４３の回動範囲が規制される。開閉素子４３と反転ハンドル５０との間にはコイルスプリングからなる反転ばね４４が保持されており、開閉素子４３の前端部には反転ばね４４の一端部内に挿入されるばね座片４３ｂが突設される。
【００２１】
反転ばね４４の他端部は反転ハンドル５０の後面側に設けた筒部（図示せず）に挿入される。器体１の幅方向における反転ハンドル５０の両側面には支点突起５１が突設され、各支点突起５１は前端部が先細りとなる形状に形成されている。カバー２０の長手方向の中央部であって幅方向の両側部には開口窓２２の周縁から前方に突出する一対の軸受突片２３が突設され、両軸受突起２３の対向面には反転ハンドル５０の支点突起５１が挿入される軸受凹所２４が形成される。軸受凹所２４は少なくとも前端部において支点突起５１を揺動可能に枢支する。反転ハンドル５０の長手方向の一端部には後述する位置表示灯７１からの光を透過させるための透孔５２が貫設され、さらに反転ハンドル５０の長手方向の両端面には操作ハンドル６０を反転ハンドル５０に結合するための結合爪５３がそれぞれ突設される。
【００２２】
なお、カバー２０の長手方向の両端部にはカバー２０の両端部側縁に沿ってカバー２０の前面から突出する当てリブ２５がそれぞれ突設され、各当てリブ２５の外側面には各一対の取付爪２６が突設される。ここでは詳しく説明しないが、取付爪２６は配線器具用の取付枠に設けた取付孔に係合することによって器体１を取付枠に保持させるために設けてあり、壁面などの施工面に器体１の一部を埋め込む形で施工する際に、施工面に固定される取付枠への器体１の結合作業が容易になっている。また、当てリブ２５は器体１を取付枠に取り付けたときに取付枠の裏面側に当接することになる。操作ハンドル６０は両当てリブ２５の間に配置され、操作ハンドル６０は揺動時において当てリブ２５に干渉しないように形成される。このように当てリブ２５をカバー２０に突設し当てリブ２５に取付爪２６を設けたことによって、当てリブ２５を設けない場合に比較すると操作ハンドル６０を後方に位置させることが可能になり、施工状態においてカバー２０と操作ハンドル６０との間に形成される隙間が外部から見えにくくなる。
【００２３】
操作ハンドル６０は、図９に示すように、反転ハンドル５０の前面を覆い、操作ハンドル６０の後面には反転ハンドル５０に設けた結合爪５３に係合する結合脚６１が突設される。結合脚６１の先端部（後端部）には結合爪５３の後面に係合する脚爪６１ａが形成され、操作ハンドル６０の後面に突設した押さえ突起６２と脚爪６１ａとの間で反転ハンドル５０が保持され、結果的に操作ハンドル６０が反転ハンドル５０に固定されることになる。さらに、操作ハンドル６０の長手方向の一端部には位置表示灯７１からの光を外部に取り出すように導光するためのプリズム６３が固着される。
【００２４】
ところで、反転ハンドル５０の後端部には合成樹脂成形品からなる回路基板７０が保持される。回路基板７０にはネオンランプからなる位置表示灯７１および位置表示灯７１の限流用の抵抗７２が実装される。また、回路基板７０の後面であって反転ハンドル５０の長手方向の一端部に対応する部位には接点７３が設けられている。回路基板７０の中央部には円形に開口した圧入孔７４が形成され、反転ハンドル５０に設けた筒部が圧入孔７４に圧入されることによって、反転ハンドル５０に回路基板７０が固定されるようにしてある。この状態において位置表示灯７１は反転ハンドル５０の透孔５２を通してプリズム６３に対向するように配置される。回路基板７０に実装した回路（位置表示灯７１と抵抗７２との直列回路）の一端は接点７３に接続され、他端は反転ハンドル５０の筒部を通して反転ばね４４に接触する。つまり、回路基板７０に実装した回路の上記他端は反転ばね４４を介して開閉素子４３に電気的に接続されることになる。また、接点７３は反転ハンドル５０の揺動に伴って一方の端子板３１に離接するように配置される。すなわち、反転ハンドル７０が揺動することによって、接点７３が離接する一方の端子装置３０ａと開閉素子４３に電気的に接続されている他方の端子装置３０ｂとの間に、回路基板７０に実装された回路が挿入される状態と、回路が切り離された状態とを選択することになる。両端子装置３０ａ，３０ｂの間に回路が挿入される状態で固定接点４１から可動接点４２が離れるようにしておけば、接点装置４０の開極時に位置表示灯７１に通電され、位置表示灯７１が点灯することになる。したがって、スイッチを照明器具の点灯・消灯を指示する目的で用いると、照明器具の消灯時において位置表示灯７１が点灯し、暗がりでもスイッチの場所を容易に見つけることができるようになる。この構成では、固定接点４１に可動接点４２が接触した状態では接点７３が端子板３１から離れ、回路基板７０に実装した回路には通電されない。
【００２５】
しかして、上述したスイッチの動作を簡単に説明すれば、図９のように操作ハンドル６０の右端部が左端部よりも後方（図の下方）に位置するときには可動接点４２が固定接点４１に接触するようにしているものとして、このとき接点７３が左側の端子板３１から離れるように接点７３を設けておく。この状態では反転ばね４４は中間部が両端部よりも左側に膨らんだ状態になり、反転ばね４４によって可動接点４２が固定接点４１に押圧されて接点圧が付与される。一方、この状態から操作ハンドル６０の左端部を後方に押すと、反転ばね４４の前端部が右側に移動することにより反転ばね４４は圧縮された後に急速に伸長して中間部が両端部よりも右側に膨らんだ状態になり、このとき開閉素子４３を右側に倒して可動接点４２を固定接点４１から引き離す。つまり、反転ばね４４のばね力は反転ハンドル５０を左回りに回転させる向きに作用し、接点７３を端子板３１に接触させる接触圧が生じることになる。つまり、固定接点４１と可動接点４２とが離れている状態で、回路基板７０に実装された回路に通電され、位置表示灯７１が点灯するのである。
【００２６】
ところで、上述した端子装置３０ａ，３０ｂに用いる端子板３１，３２は、電線２の芯線が撚り線である場合にも対応可能となるように構成してある。具体的には、図１ないし図３に示すように、端子板３１，３２の主片３１ａ，３２ａにおいて鎖錠ばね３３の鎖錠片３３ｂの先端部付近において、鎖錠片３３ｂが接触可能な部位であって電線挿入孔１２を通して器体１に導入された電線２が接触する部位の両側に一対の案内突部３８を突設してある。両案内突部３８は主片３１ａ，３２ａの幅方向に並ぶように配置され、案内突部３８において互いに近い端部は球面の一部となる（いわゆるＳＲ形状）に形成してある。したがって、電線挿入孔１２から芯線が撚り線である電線２を導入した場合に、電線２がばらばらに広がったとしても案内突部３８に乗り上げる形になって鎖錠片３３ｂと案内突部３８との間に電線２が確実に挟持され、しかも案内突部３８がＳＲ形状であることによって電線２はできるだけ両案内突部３８の間を通るように誘導されることになる。要するに、電線２が撚り線であってもばらばらに広がる可能性を低減することができる。さらに、案内突部３８の位置が鎖錠片３３ｂの先端部付近であることによって、電線２が案内突部３８に乗り上げた状態でも鎖錠片３３ｂから比較的大きい接触圧を電線２に作用させることができ、電線２の電気的な接続を確実に確保することができる。端子板３１，３２と電線２との接触状態をさらに安定させるために、図４（ａ）に示すように、端子板３１，３２における電線２との接触部位に電線２の導入方向（図４の上下方向）おいて凹凸が交互に繰り返すローレット部３６を形成するのが望ましい。このようなローレット部３６を形成しておけば、電線２に対する摩擦が大きくなって細い撚り線でも接続可能になるとともに、電線２の表面に付着した汚れをローレット部３６の凹凸によってある程度除去することができる。ここに、上述のように電線２は主として両案内突部３８の間を通ることになるから、図４（ｃ）のように、ローレット部３６は両案内突部３８の間の幅程度に設ければよく、端子板３１，３２の一部にのみローレット部３６を設ければよいことになる。
【００２７】
上述した２個の案内突部３８は図４（ａ）のように電線２の挿入方向（図４の上下方向）に直交させて配置してもよいが、図４（ｂ）（ｃ）のように、電線２の先端側（図４の上側）に向かって互いの距離を小さくする形で配置してもよい。案内突起３８をこのように配置すれば、器体１に導入された電線２はばらばらになろうとしても、両案内突起３８の間を通るように両案内突起によって追い込まれることになり、撚り線を芯線とする電線２であっても撚り線がばらばらにならず、端子板３１，３２と鎖錠ばね３３との間に電線２を確実に保持することが可能になる。
【００２８】
上述の構成例では案内突起３８を設けているだけであるが、図５および図６に示すように、主片３１ａ，３２ａの一方の側縁に鎖錠片３３ｂの側縁に沿ったガード片３９を突設してもよい。ガード片３９は、端子板３１，３２に対応する２個の鎖錠ばね３３について、それぞれ一方の側縁に沿って形成され、かつ両鎖錠ばね３３の間の部位に設けられる。このようなガード片３９を設けていることによって、鎖錠ばね３３の位置ずれが抑制されるとともに、電線２の芯線が撚り線であってもガード片３９によって電線２の挿入される範囲が規制されることになる。なお、主片３１ａ，３２ａの他方の側縁はボディ１０の内側面に設けた保持溝１４に挿入され、ガード片３９はボディ１０の内側面に対向することになる。つまり、他方の側縁にはガード片３９を設けることなく電線２の位置の規制が可能になる。
【００２９】
本発明における端子装置の適用例として、単極双投型のスイッチ（いわゆる３路スイッチ）を以下に示す。３路スイッチでは、図１０ないし図１２に示すように、３個の端子装置３０ｂ，３０ｃ，３０ｄを用いる。端子装置３０ｂは上述した単極単投スイッチと同構成であって、単極単投スイッチに用いた端子装置３０ａに代えて２個の端子装置３０ｃ，３０ｄを用いる。各端子装置３０ｃ，３０ｄはそれぞれ端子板４５，４６を備え、各端子板４５，４６には、器体１に設けた電線挿入孔１２を通して器体１に導入された電線２が接触する主片４５ａ，４６ａと、それぞれボディ１０に設けた保持リブ１３に当接する当接片４５ｂ，４６ｂと、主片４５ａ，４６ａと当接片４５ｂ，４６ｂとの間を連結する連結片４５ｃ，４６ｃと、連結片４５ｃ，４６ｃから連続一体に延長され先端部にそれぞれ固定接点４１ａ，４１ｂを設けた接点保持片４５ｄ，４６ｄとが設けられる。両端子装置３０ｃ，３０ｄの接点保持片４５ｄ，４６ｄの先端部は互いに対向するように配置され、固定接点４１ａ，４１ｂは対向する。また開閉素子４３は厚み方向の両面に可動接点４２ａ，４２ｂを備え、開閉素子４３の回動に伴って各固定接点４１ａ，４１ｂに各可動接点４２ａ，４２ｂが選択的に接触するようにしてある。つまり、固定接点４１ａに可動接点４２ａが接触している間は可動接点４２ｂは固定接点４１ｂから離れ、固定接点４１ｂに可動接点４２ｂが接触している間は可動接点４２ａは固定接点４１ａから離れる。
【００３０】
端子装置３０ｃ，３０ｄはボディ１０の長手方向における同じ側（図１２における左側）に配置されており、各端子板４５，４６にはそれぞれ１個ずつの鎖錠ばね３３が収納される。ただし、両端子板４５，４６の鎖錠ばね３３の間に１つの解除釦３４が配置される。さらに、各端子板４５，４６の連結片４５ｃ，４６ｃには導電性の金属板からなる接触子４７がかしめ固定される。各接触子４７は回路基板７０に弾接するように弾性が付与されており、反転ハンドル５０の揺動にかかわらず接触子４７がつねに回路基板７０に弾接するようにしてある。回路基板７０には位置表示灯７１と抵抗（図示せず）との直列回路が実装され、この直列回路の各一端にそれぞれ接触子４７が接触する。この種の３路スイッチは階段灯の点灯・消灯に用いられることが多く、階上と階下とにそれぞれ３路スイッチを配置して階段灯の点灯・消灯とを階上と階下とのいずれにおいても操作可能とすることができる。したがって、両固定接点３１ａ，３１ｂの間に位置表示灯７１と抵抗との直列回路を挿入しておけば、階段灯の消灯時に位置表示灯７１を点灯させることができる。この種の回路の接続関係は周知であるから説明を省略する。また、３路スイッチの他の構成は単極単投型のスイッチと同様である。
【００３１】
なお、端子板３１，３２に案内突起３８を設けずにガード片３９のみを設けた構成としてもよい。また、接点装置４０の構成として、上述の例では単極単投型のスイッチ（いわゆる片切り型のスイッチ）と３路スイッチとを例示したが、本発明の技術思想はこれらのスイッチへの適用に限定されるものではなく、たとえば２極単投型のスイッチやいわゆる４路型のスイッチ（４端子のうちの２端子と残りの２端子とを一対一に接続する２つの接続関係が選択可能なスイッチ）に適用することも可能であり、さらにはスイッチだけではなくコンセントや照明器具などに適用することも可能である。
【００３２】
【発明の効果】
請求項１の発明は、電気器具の器体に貫設した電線挿入孔を通して器体に導入された電線に接触する端子板と、端子板に向かってばね付勢され端縁を前記電線に弾接させることにより端子板との間で前記電線を挟持する鎖錠片を有した鎖錠ばねとを備え、端子板において前記電線を接触させる面には、前記電線の挿入方向に交わる方向において、中央部に導入された前記電線を鎖錠片との間に挟持する部位の両側であって、電線挿入孔から芯線が撚り線である電線を導入して当該電線がばらばらに広がった場合に当該電線を鎖錠片との間に挟持する部位に一対の案内突部が突設されているものであり、案内突起の間を電線が通れば電線は広がらずに鎖錠ばねとの間で挟持され、撚り線を芯線とする電線の一部が広がっても、電線が案内突起に乗り上げた状態で鎖錠片から比較的大きい接触圧を電線に作用させることができ、案内突起と鎖錠ばねとの間で電線の電気的な接続が確実に確保されるから、撚り線を芯線とする電線であっても、器体に設けた電線挿入孔に電線を挿入するだけで結線作業が行えるという利点を有する。
【００３３】
請求項２の発明は、請求項１の発明において、前記案内突部において少なくとも互いに近い側の端部が球面状に形成されているから、撚り線を芯線とする電線が広がろうとしても両案内突部の間に電線が追い込まれることになり、電線が広がるのを防止することができる。
【００３４】
請求項３の発明は、請求項１の発明において、前記案内突部が前記鎖錠片の端縁の一部に対向する位置に形成されているので、鎖錠片により端子板に電線を押し付けることができ、電線に対する比較的大きい保持力を確保することができる。
【００３５】
請求項４の発明は、請求項１の発明において、一対の前記案内突部が前記電線の先端側に向かって互いの距離を小さくする形で配置されているので、器体に導入された電線が両案内突起の間を通るように案内されることになり、芯線が撚り線である電線であっても芯線が広がることなくまとまって、鎖錠ばねと端子板との間で確実に保持することができる。
【００３６】
請求項５の発明は、請求項１の発明において、前記端子板において前記電線との接触部位には電線の導入方向おいて凹凸が交互に繰り返すローレット部が形成されているものであり、ローレット部の凹凸によって電線の表面に付着した異物を除去することができ、端子板と電線との電気的接続状態が良好になる。また、案内突起を設けて電線が通る部位を規制しているから、規制された範囲内にローレット部を形成すればよく、ローレット部の領域を少なくすることができる。
【００３７】
請求項６の発明は、請求項１の発明において、前記端子板において前記電線を接触させる面には前記鎖錠片の側縁に沿ってガード片が突設されているものであり、ガード片を設けたことによって電線が不要な部位に挿入されるのを防止することができる。また、ガード片によって電線の通る部位が規制されるから、芯線が撚り線である電線でも電線の広がりを規制して鎖錠ばねと端子板との間で電線を保持することができる。つまり、撚り線を芯線とする電線であっても、器体に設けた電線挿入孔に電線を挿入するだけで結線作業が行える。
【図面の簡単な説明】
【図１】本発明の実施の形態を示す分解斜視図である。
【図２】同上に用いる端子板を示し、（ａ）は平面図、（ｂ）は縦断面図である。
【図３】同上の縦断面図である。
【図４】（ａ）〜（ｃ）はそれぞれ同上に用いる端子板の一例を示す横断面図である。
【図５】同上の他の構成例を示す分解斜視図である。
【図６】図５に示した構成例に用いる端子板を示し、（ａ）は平面図、（ｂ）は縦断面図である。
【図７】同上を用いたスイッチを示す分解斜視図である。
【図８】同上を用いたスイッチを示し、（ａ）は正面図、（ｂ）は下面図、（ｃ）は側面図である。
【図９】同上を用いたスイッチの縦断面図である。
【図１０】同上を用いた他のスイッチを示す分解斜視図である。
【図１１】同上を用いた他のスイッチを示し、（ａ）は正面図、（ｂ）は下面図、（ｃ）は側面図である。
【図１２】同上を用いた他のスイッチの縦断面図である。
【図１３】従来例に用いる端子板を示し、（ａ）は平面図、（ｂ）は縦断面図である。
【符号の説明】
１  器体
２  電線
１２  電線挿入孔
３１，３２  端子板
３３  鎖錠ばね
３３ｂ  鎖錠片
３６  ローレット部
３８  案内突起
３９  ガード片
４５，４６  端子板
【図１】
0003674497.tif 000002
【図２】
0003674497.tif 000003
【図３】
0003674497.tif 000004
【図４】
0003674497.tif 000005
【図５】
0003674497.tif 000006
【図６】
0003674497.tif 000007
【図７】
0003674497.tif 000008
【図８】
0003674497.tif 000009
【図９】
0003674497.tif 000010
【図１０】
0003674497.tif 000011
【図１１】
0003674497.tif 000012
【図１２】
0003674497.tif 000013
【図１３】
0003674497.tif 000014